(57)【要約】【課題】送信されてきた情報を、携帯端末の捜索のために確実に利用することができる通信装置捜索システムを提供すること。【解決手段】本発明にかかる通信装置捜索システムは、通信装置１０と、サーバ装置３０とを有する。通信装置１０は、所定の条件を満たすことによって自装置が紛失状態であると判定した場合に、周囲の環境を示す複数の情報を取得する情報取得部１１と、取得した複数の情報を送信する通信部１２と、を有する。サーバ装置３０は、通信装置１０から送信された複数の情報を取得し、通信装置１０を捜索する２０通信装置へ、複数の情報の中から、通信装置２０において利用可能な情報を選択する情報選択部３１と、選択した情報を通信装置２０へ送信する通信部３２と、を有する。【選択図】図１
2015192357.tif 000002
【特許請求の範囲】
【請求項１】
所定の条件を満たすことによって自装置が紛失状態であると判定した場合に、周囲の環境を示す複数の情報を取得する情報取得部と、取得した前記複数の情報を送信する通信部と、を有する第１の通信装置と、
前記第１の通信装置から送信された前記複数の情報を取得し、前記第１の通信装置を捜索する第２の通信装置へ、前記複数の情報の中から、前記第２の通信装置において利用可能な情報を選択する情報選択部と、前記選択した情報を前記第２の通信装置へ送信する通信部と、を有するサーバ装置と、を備える通信装置捜索システム。
【請求項２】
前記周囲の環境を示す複数の情報は、前記第１の通信装置が撮影した画像情報、前記第１の通信装置が収集した周囲の音声情報、前記第１の通信装置が検出した光量情報及び前記第１の通信装置が検出した温度情報のうち、少なくとも１つを含む、請求項１に記載の通信装置捜索システム。
【請求項３】
前記情報選択部は、
前記第２の通信装置が表示部を有する場合、前記画像情報を選択する、請求項２に記載の通信装置捜索システム。
【請求項４】
前記情報選択部は、
前記第２の通信装置において実現可能な通信速度が、基準値を超えている場合に前記第１の通信装置が撮影した動画情報を選択し、基準値を超えていない場合に前記第１の通信装置が撮影した静止画情報を選択する、請求項３に記載の通信装置検索システム。
【請求項５】
前記情報選択部は、
前記第２の通信装置がスピーカを有する場合、前記音声情報を選択する、請求項２乃至４のいずれか１項に記載の通信装置検索システム。
【請求項６】
前記サーバ装置の通信部は、
前記情報選択部において、前記複数の情報のいずれもが前記第２の通信装置において利用できないと判定された場合、前記第２の通信装置における動作を指定する情報を、前記第２の通信装置へ送信する、請求項１乃至５のいずれか１項に記載の通信装置検索システム。
【請求項７】
前記第１の通信装置は、
前記第２の通信装置との間において近距離無線通信を行う通信部と、
所定期間前記第２の通信装置と、近距離無線通信を行うことができない場合に、自装置が紛失状態であると判定する紛失判定部と、をさらに備える請求項１乃至６のいずれか１項に記載の通信装置捜索システム。
【請求項８】
所定の条件を満たすことによって自装置が紛失状態であると判定した場合に、周囲の環境を示す複数の情報を送信する第１の通信装置から前記複数の情報を受信し、前記第１の通信装置を捜索する第２の通信装置へ、前記複数の情報の中から、前記第２の通信装置において利用可能な情報を選択する情報選択部と、
前記選択した情報を前記第２の通信装置へ送信する通信部と、を有するサーバ装置。
【請求項９】
所定の条件を満たすことによって自装置が紛失状態であると判定した場合に、周囲の環境を示す複数の情報を送信する第１の通信装置から前記複数の情報を受信し、
前記第１の通信装置を捜索する第２の通信装置へ、前記複数の情報の中から、前記第２の通信装置において利用可能な情報を選択し、
前記選択した情報を前記第２の通信装置へ送信する情報通信方法。
【請求項１０】
所定の条件を満たすことによって自装置が紛失状態であると判定した場合に、周囲の環境を示す複数の情報を送信する第１の通信装置から前記複数の情報を受信し、
前記第１の通信装置を捜索する第２の通信装置へ、前記複数の情報の中から、前記第２の通信装置において利用可能な情報を選択し、
前記選択した情報を前記第２の通信装置へ送信することをコンピュータに実行させるプログラム。
【発明の詳細な説明】
【技術分野】
【０００１】
本発明は通信装置捜索システム、サーバ装置、情報通信方法及びプログラムに関し、特に周囲の環境情報を用いて通信装置を捜索する、通信装置捜索システム、サーバ装置、情報通信方法及びプログラムに関する。
【背景技術】
【０００２】
近年、スマートフォン端末を含む携帯端末が普及している。携帯端末には、個人情報を含む様々な情報が格納されているため、携帯端末を保持するユーザは、携帯端末の紛失を防ぐ、もしくは、携帯端末を紛失した場合においても、早期に紛失した携帯端末発見する必要がある。そこで、携帯端末に搭載されているＧＰＳ機能を用いて、紛失した携帯端末の位置情報を補足し、携帯端末を捜索するサービスが提供されている。
【０００３】
しかし、ＧＰＳ機能を用いる場合、衛星の電波の届かない地下や、トンネル等における捜索は困難であるという問題がある。
【０００４】
このような問題を解決するために、特許文献１には、紛失した携帯端末が、カメラ機能を用いて撮影した静止画像もしくは動画像、さらに周囲の音声を録音した音声情報等、他の携帯端末等に送信し、携帯端末の紛失した位置を特定する通信システムが開示されている。特許文献１に開示されている技術を用いることによって、衛星の電波の届かない地下等においても、ユーザは、紛失した携帯端末の周囲の状況を確認することができるため、携帯電話を捜索することができる。
【先行技術文献】
【特許文献】
【０００５】
【特許文献１】国際公開第２００７／０８６３３５号
【発明の概要】
【発明が解決しようとする課題】
【０００６】
しかし、特許文献１に記載されている通信システムにおいては、紛失した携帯端末を捜索する端末が、動画像を容易に送受信できる通信速度に対応していない、もしくは、表示部が小さい端末等であった場合に、紛失した携帯端末から送信されてきた情報をユーザへ出力することができない、もしくは、紛失した携帯端末から送信されてきた情報を受信することができないという問題がある。
【０００７】
本発明の目的は、上述した課題である、送信されてきた情報を、携帯端末の捜索のために確実に利用することができる通信装置捜索システム、サーバ装置、情報通信方法及びプログラムを提供することにある。
【課題を解決するための手段】
【０００８】
本発明の第１の態様にかかる通信装置捜索システムは、所定の条件を満たすことによって自装置が紛失状態であると判定した場合に、周囲の環境を示す複数の情報を取得する情報取得部と、取得した前記複数の情報を送信する通信部と、を有する第１の通信装置と、前記第１の通信装置から送信された前記複数の情報を取得し、前記第１の通信装置を捜索する第２の通信装置へ、前記複数の情報の中から、前記第２の通信装置において利用可能な情報を選択する情報選択部と、前記選択した情報を前記第２の通信装置へ送信する通信部と、を有するサーバ装置と、を備えるものである。
【０００９】
本発明の第２の態様にかかるサーバ装置は、所定の条件を満たすことによって自装置が紛失状態であると判定した場合に、周囲の環境を示す複数の情報を送信する第１の通信装置から前記複数の情報を受信し、前記第１の通信装置を捜索する第２の通信装置へ、前記複数の情報の中から、前記第２の通信装置において利用可能な情報を選択する情報選択部と、前記選択した情報を前記第２の通信装置へ送信する通信部と、を有するものである。
【００１０】
本発明の第３の態様にかかる情報通信方法は、所定の条件を満たすことによって自装置が紛失状態であると判定した場合に、周囲の環境を示す複数の情報を送信する第１の通信装置から前記複数の情報を受信し、前記第１の通信装置を捜索する第２の通信装置へ、前記複数の情報の中から、前記第２の通信装置において利用可能な情報を選択し、前記選択した情報を前記第２の通信装置へ送信するものである。
【００１１】
本発明の第４の態様にかかるプログラムは、所定の条件を満たすことによって自装置が紛失状態であると判定した場合に、周囲の環境を示す複数の情報を送信する第１の通信装置から前記複数の情報を受信し、前記第１の通信装置を捜索する第２の通信装置へ、前記複数の情報の中から、前記第２の通信装置において利用可能な情報を選択し、前記選択した情報を前記第２の通信装置へ送信することをコンピュータに実行させるものである。
【発明の効果】
【００１２】
本発明により、送信されてきた情報を、携帯端末の捜索のために確実に利用することができる通信装置捜索システム、サーバ装置、情報通信方法及びプログラムを提供することができる。
【図面の簡単な説明】
【００１３】
【図１】実施の形態１にかかる通信装置捜索システムの構成図である。
【図２】実施の形態２にかかる通信装置の構成図である。
【図３】実施の形態２にかかる紛失判定処理の流れを説明する図である。
【図４】実施の形態２にかかる情報取得処理の流れを説明する図である。
【図５】実施の形態２にかかる情報取得処理の流れを説明する図である。
【図６】実施の形態２にかかる情報取得処理の流れを説明する図である。
【図７】実施の形態２にかかるサーバ装置の構成図である。
【図８】実施の形態２にかかる通信装置ＤＢにおいて管理されている情報を示す図である。
【図９】実施の形態２にかかる送信処理の流れを説明する図である。
【発明を実施するための形態】
【００１４】
（実施の形態１）
以下、図面を参照して本発明の実施の形態について説明する。はじめに、図１を用いて本発明の実施の形態１にかかる通信装置捜索システムの構成例について説明する。図１の通信装置捜索システムは、通信装置１０、通信装置２０及びサーバ装置３０を有している。また、通信装置１０は、情報取得部１１及び通信部１２を有している。さらに、サーバ装置３０は、情報選択部３１及び通信部３２を有している。本図においては、通信装置１０が、紛失された通信装置とし、通信装置２０が、通信装置１０を捜索する通信装置とする。
【００１５】
はじめに、通信装置１０の構成例について説明する。情報取得部１１は、所定の条件を満たすことによって自装置が紛失状態であると判定した場合に、周囲の環境を示す複数の情報を取得する。所定の条件は、例えば、通信装置１０が、通信装置２０との間において定期的に実行している通信を行うことができなくなった、ということでもよい。また、所定の条件は、通信装置１０が、サーバ装置３０等から、捜索対象の通信装置であることを通知された場合等であってもよい。所定の条件は、紛失状態であることを判定することができる他の条件であってもよい。
【００１６】
周囲の環境を示す情報は、例えば、通信装置１０がカメラ機能を搭載している場合に、通信装置１０が撮影した画像情報、具体的には、静止画情報でもよく動画情報でもよい。また、周囲の環境を示す情報は、通信装置１０がマイクロフォンを有する場合に、通信装置１０が周囲の音を録音した音声情報でもよい。また、周囲の環境を示す情報は、例えば、通信装置１０が温度を測定するセンサもしくは光量を測定するセンサ等を有する場合に、通信装置１０が検出したセンサ情報であってもよい。
【００１７】
通信部１２は、情報取得部１１において生成された複数の情報を送信する。通信部１２は、例えば、移動通信事業者が管理する移動通信ネットワークを介して、サーバ装置３０へ、情報を送信してもよい。例えば、通信部１２は、３ＧＰＰにおいて規格が定められているＬＴＥ（Long Term Evolution）を用いた無線回線を介して移動通信ネットワークへ接続する。もしくは、通信部１２は、無線ＬＡＮを用いた無線回線を介して移動通信ネットワークへ接続してもよい。
【００１８】
次に、サーバ装置３０の構成例について説明する。情報選択部３１は、通信装置１０の周囲の環境を示す複数の情報を取得すると、複数の情報の中から、通信装置２０において利用可能な情報を選択する。
【００１９】
通信装置２０において利用可能な情報は、例えば、通信装置２０がＬＴＥ等の高速通信に対応している場合、動画情報が該当する。また、通信装置２０が、ディスプレイを有する場合、センサ情報、動画情報及び静止画情報が、通信装置２０において利用可能な情報に該当する。また、通信装置２０が、スピーカを有する場合、音声情報が、通信装置２０において利用可能な情報に該当する。また、そのほか、通信装置２０が有する機能、もしくは、装置の種類等に応じて、通信装置２０と利用可能な情報とが対応づけられてもよい。
【００２０】
通信部３２は、選択した情報を通信装置２０へ送信する。通信装置２０は、サーバ装置３０から送信された情報を用いて、通信装置１０を捜索する。
【００２１】
以上説明したように、図１の通信装置捜索システムを用いることによって、サーバ装置３０は、通信装置１０において生成された、通信装置１０の周囲の環境を示す複数の情報のうち、通信装置２０において利用可能な情報を選択し、選択した情報を通信装置２０へ送信することができる。これによって、通信装置２０は、サーバ装置３０から送信された情報を利用して、通信装置１０を捜索することができる。
【００２２】
（実施の形態２）
続いて、図２を用いて本発明の実施の形態２にかかる通信装置１０の構成例について説明する。通信装置１０は、図１において説明したように、紛失した通信装置とする。
【００２３】
通信装置１０は、情報取得部１１、通信部１２及び紛失判定部１３を有している。情報取得部１１及び通信部１２は、図１と同様であるため詳細な説明を省略する。紛失判定部１３は、通信装置１０が、紛失状態であるか否かを判定する。具体的には、紛失判定部１３は、通信装置１０を捜索する端末である通信装置２０と、近距離無線通信によって、定期的に通信を行う。定期的な通信は、例えば、通信装置１０と通信装置２０との間において定期的にデータを送受信してもよく、通信装置１０が、定期的に通信装置２０へ接続及び切断する動作を繰り返してもよい。
【００２４】
近距離無線通信は、例えば、Ｂｌｕｅｔｏｏｔｈ（登録商標）、赤外線通信もしくは無線ＬＡＮ通信等であってもよい。紛失判定部１３は、近距離無線通信を行うために、アンテナ及びデータの変調及び復調を行う機能を有してもよい。ここで、図３を用いて、紛失判定部１３における紛失判定処理の流れについて説明する。図３の紛失判定処理は、通信装置１０に電源が投入されている間、常に行われてもよく、一定期間ごとに、定期的に実行されてもよい。
【００２５】
はじめに、紛失判定部１３は、通信装置２０との間において近距離無線通信を行う（Ｓ１１）。例えば、紛失判定部１３は、定期的に通信装置２０へデータを送信し、通信装置２０から、送信したデータに対する応答信号を受信する。次に、紛失判定部１３は、近距離無線通信が継続中であるか否かを判定する（Ｓ１２）。近距離無線通信が継続中とは、例えば、通信装置２０へ送信したデータに対する応答信号を受信できている状態である。
【００２６】
紛失判定部１３は、近距離無線通信が継続中であると判定した場合、ステップＳ１２の処理を繰り返す。紛失判定部１３は、例えば、近距離無線通信が継続中であると判定した場合、予め定められた時間が経過した後に、ステップＳ１２の処理を繰り返してもよい。さらに、紛失判定部１３は、予め定められた回数、ステップＳ１２の処理を実行した場合、ステップＳ１２の処理を行わず紛失判定処理を終了してもよい。
【００２７】
紛失判定部１３は、近距離無線通信が継続中ではないと判定した場合、つまり、通信装置２０へ送信したデータに対する応答信号を受信できない場合、紛失状態と判定する（Ｓ１３）。紛失判定部１３は、予め定められた数の応答信号を受信できない場合、紛失状態と判定してもよい。もしくは、紛失判定部１３は、予め定められた数の応答信号を連続して受信できない場合、紛失状態と判定してもよい。
【００２８】
図２に戻り、紛失判定部１３は、紛失状態と判定した場合、紛失状態であることを示すメッセージを情報取得部１１へ出力する。情報取得部１１は、紛失判定部１３から、紛失状態であることを示すメッセージを受け取ると、周囲の環境を示す情報を取得もしくは生成する。例えば、情報取得部１１は、紛失判定部１３から、紛失状態であることを示すメッセージを受け取ると、カメラ機能を実行するアプリケーションを起動し、自律的に静止画像もしくは動画像、又は、静止画像及び動画像を撮影し、さらに、マイク機能を実行するアプリケーションを起動し、自律的に録音を開始する。情報取得部１１が実行する撮影時間、撮影枚数、録音時間等は、予め定められていてもよい。さらに、情報取得部１１が生成する周囲の環境を示す情報の種類についても予め定められていてもよい。ここで、図４を用いて、情報取得部１１における情報取得処理について説明する。図４の情報取得処理は、紛失判定部１３において紛失状態であると判定された場合に実行される。
【００２９】
はじめに、情報取得部１１は、紛失状態である場合に、写真を撮影する設定であるか否かを判定する（Ｓ２１）。情報取得部１１は、紛失状態である場合に、写真を撮影する設定であると判定した場合、カメラ機能を用いて写真を撮影する（Ｓ２２）。情報取得部１１は、紛失状態である場合に、写真を撮影する設定でないと判定した場合、ステップＳ２３の処理へ移行する。
【００３０】
ステップＳ２１において、情報取得部１１が、紛失状態である場合に、写真を撮影する設定でないと判定した場合、及び、ステップＳ２２において情報取得部１１が写真を撮影した後、情報取得部１１は、動画を撮影する設定であるか否かを判定する（Ｓ２３）。
【００３１】
情報取得部１１は、紛失状態である場合に、動画を撮影する設定であると判定した場合、カメラ機能を用いて動画を撮影する（Ｓ２４）。情報取得部１１は、紛失状態である場合に、動画を撮影する設定でないと判定した場合、ステップＳ２５の処理へ移行する。
【００３２】
ステップＳ２３において、情報取得部１１が、紛失状態である場合に、動画を撮影する設定でないと判定した場合、及び、ステップＳ２４において情報取得部１１が動画を撮影した後、通信部１２は、取得した情報があるか否かを判定する（Ｓ２５）。
【００３３】
通信部１２は、情報取得部１１によって取得された情報があると判定した場合、情報取得部１１によって取得された情報をサーバ装置３０へ送信する（Ｓ２６）。通信部１２は、情報取得部１１によって取得された情報がないと判定した場合、処理を終了する。
【００３４】
図４においては、情報取得部１１が、写真を撮影する設定があるか否か、及び、動画を撮影する設定であるか否かを判定する例について説明したが、さらに、紛失状態である場合の他の動作が実行されてもよい。
【００３５】
例えば、図５に示すように、情報取得部１１は、紛失状態である場合に、音声を録音する設定であるか否かを判定してもよい（Ｓ３１）。ステップＳ３１において、情報取得部１１が、紛失状態である場合、マイク機能を用いて通信装置１０の周囲の音声を録音する（Ｓ３２）。ステップＳ３３以降は、図４のステップＳ２５以降と同様であるため省略する。さらに、図６に示すように、情報取得部１１は、紛失状態である場合に、センサ情報を取得する設定であるか否かを判定してもよい（Ｓ４１）。センサ情報は、例えば、光量測定情報、温度測定情報等であってもよく、その他の検知した情報であってもよい。ステップＳ４３以降は、図４のステップＳ２５以降と同様であるため省略する。
【００３６】
図５及び図６の処理は、図４の処理と組み合わされて実行されてもよい。つまり、情報取得部１１は、図４の処理において、写真及び動画を撮影した後に、音声を録音し、センサ情報を取得してもよい。
【００３７】
続いて、図７を用いて本発明の実施の形態２にかかるサーバ装置３０の構成例について説明する。サーバ装置３０は、情報選択部３１、通信部３２、通信装置ＤＢ３３及び取得情報格納部３４を有する。情報選択部３１及び通信部３２は、図１と同様であるため詳細な説明を省略する。
【００３８】
情報選択部３１は、通信装置１０から、周囲の環境を示す情報を取得すると、取得した情報を取得情報格納部３４へ格納する。取得情報格納部３４は、サーバ装置３０内に設けられているメモリ装置であってもよく、サーバ装置３０に外部機器として接続されているメモリ装置等であってもよい。
【００３９】
情報選択部３１は、通信装置ＤＢ３３を用いて、通信装置１０を捜索する通信装置として登録されている通信装置を抽出し、それぞれの通信装置において利用可能な情報の種類を特定する。情報選択部３１は、例えば、通信装置１０を捜索する通信装置として、スマートフォン端末、一般携帯電話、モバイルルータ及びホームゲートウェイを抽出する。
【００４０】
一般携帯電話とは、スマートフォン端末を除く携帯電話であり、３Ｇ無線回線等を介して通信を行う携帯電話である。モバイルルータは、例えば、表示部及びボタン操作部等を有さず、スマートフォン端末と、移動通信ネットワークとの間、もしくは、一般携帯電話と、移動通信ネットワークとの間の通信を中継する装置である。ホームゲートウェイは、宅内の複数の通信装置と接続しており、宅内の複数の通信装置を遠隔操作する際に用いられる装置である。もしくは、ホームゲートウェイは、複数の通信装置を集約し、宅内の通信装置が、宅内の別の通信装置を操作する際に中継装置として用いられる装置である。宅内の通信装置は、例えば、スマートフォン端末、一般携帯電話端末、通信機能を有する家電製品等を含む。
【００４１】
情報選択部３１は、通信装置１０を捜索する通信装置として登録されている通信装置において利用可能な情報を取得情報格納部３４から取り出す。情報選択部３１は、取得情報格納部３４から取り出した情報を、通信部３２へ出力する。ここで、図８を用いて、通信装置ＤＢ３３において管理されている情報について説明する。本図においては、スマートフォン端末及びホームゲートウェイは、動画情報、画像情報、音声情報及びセンサ情報をすべて利用することができることを示している。さらに、一般携帯電話は、画像情報、音声情報及びセンサ情報を利用することができることを示している。さらに、モバイルルータは、いずれの情報も利用することができないことを示している。
【００４２】
例えば、スマートフォン端末が、ＬＴＥ等の高速無線回線に対応しており、一般携帯電話が、高速無線回線に対応していない場合、一般携帯電話においては、動画情報を利用することができないとしている。また、モバイルルータが、表示部及びマイク等を有さない場合、動画情報、画像情報、音声情報及びセンサ情報をすべて利用することができないとしている。
【００４３】
図７に戻り、通信部３２は、通信装置１０を捜索する通信装置毎に、利用可能な情報を送信する。ここで、図９を用いて、サーバ装置３０における送信処理の流れについて説明する。
【００４４】
はじめに、情報選択部３１は、通信装置１０から送信された、通信装置１０の周囲の環境を示す情報を取得し、取得した情報を取得情報格納部３４へ格納する（Ｓ５１）。例えば、情報選択部３１は、通信装置１０から、動画情報、静止画情報、音声情報及びセンサ情報を取得したとする。次に、情報選択部３１は、通信装置１０を捜索する通信装置毎に送信する情報を選択する（Ｓ５２）。例えば、情報選択部３１は、通信装置１０を捜索するスマートフォン端末に対して送信する情報として、動画情報、静止画情報、音声情報及びセンサ情報を選択する。
【００４５】
次に、情報選択部３１は、通信装置１０を捜索する通信装置について、情報を選択していない通信装置があるか否かを判定する（Ｓ５３）。例えば、情報選択部３１が、スマートフォン端末に対して送信する情報のみを選択している場合、未処理通信装置として、一般携帯電話、モバイルルータ及びホームゲートウェイが残っている。ステップＳ５３において、情報選択部３１は、未処理通信装置が残っている場合、ステップＳ５２の処理を繰り返す。
【００４６】
情報選択部３１において、スマートフォン端末、一般携帯電話、モバイルルータ及びホームゲートウェイのそれぞれに対して送信する情報が選択された場合、通信部３２は、情報選択部３１において選択された情報を各通信装置へ送信する（Ｓ５４）。
【００４７】
ステップＳ５２において、情報選択部３１が、モバイルルータへ送信する情報を選択する場合の処理について詳細に説明する。通信装置ＤＢ３３において管理されている情報に従うと、モバイルルータは、利用することができる情報がない。そのため、情報選択部３１は、モバイルルータに対しては、モバイルルータにおける動作を指定した情報を通信部３２を介してモバイルルータへ送信してもよい。具体的には、モバイルルータにおける動作を指定した情報は、例えば、モバイルルータにおいて、ＬＥＤを点滅する、装置本体を振動する、等の内容であってもよい。モバイルルータは、動作を指定した情報を受信すると、指定された動作を実行する。モバイルルータを操作するユーザは、モバイルルータの動作を確認することによって、通信装置１０が紛失状態であることに気づくことができる。
【００４８】
以上説明したように、本発明の実施の形態２にかかる通信装置１０を用いることによって、通信装置１０を捜索する際に利用することができる、通信装置１０の周囲の環境を示す情報を収集もしくは生成することができる。さらに、サーバ装置３０は、通信装置１０から送信されてきた情報のうち、通信装置１０を捜索する通信装置２０において利用可能な情報を選択し、選択した情報を通信装置２０へ送信することができる。
【００４９】
また、サーバ装置３０は、通信装置１０から送信されてきた情報のうち、通信装置２０において利用可能な情報がない場合には、通信装置２０において紛失状態であることを示す動作を指定した情報を送信することができる。これによって、通信装置２０は、指定された動作を実行することにより、通信装置２０を操作するユーザに対して、通信装置１０が紛失状態であることを通知することができる。
【００５０】
なお、上述した説明においては、ホームゲートウェイ装置を、通信装置２０として説明したが、サーバ装置３０の代わりにホームゲートウェイ装置が用いられてもよい。例えば、通信装置１０は、生成した周囲の環境を示す情報を、ホームゲートウェイ装置へ送信する。この時、ホームゲートウェイは、接続中の通信機器において利用可能な情報を選択し、それぞれの通信機器へ、選択した情報を送信してもよい。
【００５１】
ホームゲートウェイ装置には、例えば、テレビジョン装置もしくは冷蔵庫等の通信機能を有する家電機器が接続されることが想定される。このような場合に、ホームゲートウェイ装置が、各家電機器に対して、通信装置１０から送信された情報のうち、各家電機器において利用可能な情報を送信することによって、各家電機器を操作するユーザに対して、通信装置１０を捜索するために必要な情報を通知することができる。例えば、ホームゲートウェイ装置は、テレビジョン装置に対しては、動画情報及びセンサ情報を送信し、固定電話には、音声情報を送信してもよい。
【００５２】
ホームゲートウェイ装置は、光通信回線等を介してインターネットに接続することによって、通信装置１０から動画情報等の大容量の情報が送信された場合においても、受信することができる。また、ホームゲートウェイ装置と、各家電機器は、無線ＬＡＮ通信回線を介して接続されてもよい。
【００５３】
上述の実施の形態では、本発明をハードウェアの構成として説明したが、本発明は、これに限定されるものではない。本発明は、図３〜６及び図９において説明した処理を、ＣＰＵ（Central Processing Unit）にコンピュータプログラムを実行させることにより実現することも可能である。）
【００５４】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５５】
なお、本発明は上記実施の形態に限られたものではなく、趣旨を逸脱しない範囲で適宜変更することが可能である。
【符号の説明】
【００５６】
１０  通信装置
１１  情報取得部
１２  通信部
１３  紛失判定部
２０  通信装置
３０  サーバ装置
３１  情報選択部
３２  通信部
３３  通信装置ＤＢ
３４  取得情報格納部
【図１】
2015192357.tif 000003
【図２】
2015192357.tif 000004
【図３】
2015192357.tif 000005
【図４】
2015192357.tif 000006
【図５】
2015192357.tif 000007
【図６】
2015192357.tif 000008
【図７】
2015192357.tif 000009
【図８】
2015192357.tif 000010
【図９】
2015192357.tif 000011